(57)【特許請求の範囲】
【請求項１】
第１の登録情報を記憶する記憶デバイスと、
第２の登録情報を記憶する無線タグと、
前記第１の登録情報に基づいて前記第２の登録情報の内容を更新するシステム制御部とを備え、
前記システム制御部は、外部から前記無線タグへの書き込みがあると、書き込みを許可する情報以外の内容を更新する
ことを特徴とする電子機器。
【請求項２】
前記第１の登録情報は、接続情報を含むデバイス情報と、本体優先か外部優先かを示す優先設定情報とを有し、
前記システム制御部は、本体優先を示す前記優先設定情報を含む書き込み情報を読み込み、前記書き込み情報に基づいて前記第１の登録情報の前記デバイス情報を更新するのに合わせ、前記第２の登録情報の前記デバイス情報を更新する
ことを特徴とする請求項１に記載の電子機器。
【請求項３】
前記システム制御部は、前記第２の登録情報の前記優先設定情報が外部優先の場合、前記第１の登録情報の前記優先設定情報を外部優先に更新することを特徴とする請求項２に記載の電子機器。
【請求項４】
前記システム制御部は、前記第２の登録情報の前記優先設定情報が記述無しの場合、前記第１の登録情報の前記優先設定情報が本体優先であれば、前記第１の登録情報に基づき前記第２の登録情報の前記書き込みを許可する情報以外の内容を更新することを特徴とする請求項２又は３に記載の電子機器。
【請求項５】
前記システム制御部は、前記第２の登録情報の前記優先設定情報が記述無しの場合であって前記デバイス情報に前記書き込みを許可する情報がある場合、前記第１の登録情報の前記優先設定情報が本体優先であれば、前記第１の登録情報の前記優先設定情報を外部優先に更新し、前記第２の登録情報の前記書き込みを許可する情報以外の内容を更新することを特徴とする請求項２〜４のいずれかに記載の電子機器。
【請求項６】
記憶デバイスに第１の登録情報を記憶させる工程と、
無線タグに第２の登録情報を記憶させる工程と、
前記第１の登録情報に基づいて前記第２の登録情報の内容を更新する工程と、
外部から前記無線タグへの書き込みがあると、書き込みを許可する情報以外の内容を更新する工程とを電子機器を制御するコンピューターに実行させる
ことを特徴とする情報更新プログラム。
【請求項７】
前記第１の登録情報は、接続情報を含むデバイス情報と、本体優先か外部優先かを示す優先設定情報とを有し、
本体優先を示す前記優先設定情報を含む書き込み情報を読み込み、前記書き込み情報に基づいて前記第１の登録情報の前記デバイス情報を更新するのに合わせ、前記第２の登録情報の前記デバイス情報を更新する工程を有する
ことを特徴とする請求項６に記載の情報更新プログラム。
【請求項８】
前記第２の登録情報の前記優先設定情報が外部優先の場合、前記第１の登録情報の前記優先設定情報を外部優先に更新する工程を有することを特徴とする請求項７に記載の情報更新プログラム。
【請求項９】
前記第２の登録情報の前記優先設定情報が記述無しの場合、前記第１の登録情報の前記優先設定情報が本体優先であれば、前記第１の登録情報に基づき前記第２の登録情報の前記書き込みを許可する情報以外の内容を更新する工程を有することを特徴とする請求項７又は８に記載の情報更新プログラム。
【請求項１０】
前記第２の登録情報の前記優先設定情報が記述無しの場合であって前記デバイス情報に前記書き込みを許可する情報がある場合、前記第１の登録情報の前記優先設定情報が本体優先であれば、前記第１の登録情報の前記優先設定情報を外部優先に更新し、前記第２の登録情報の前記書き込みを許可する情報以外の内容を更新する工程を有することを特徴とする請求項７〜９のいずれかに記載の情報更新プログラム。
【発明の詳細な説明】
【技術分野】
【０００１】
本発明は、ＮＦＣ（Ｎｅａｒ  Ｆｉｅｌｄ  Ｃｏｍｍｕｎｉｃａｔｉｏｎｓ）タグなどの無線タグに対する情報の書き込みに適した電子機器及び情報更新プログラムに関する。
【背景技術】
【０００２】
たとえば、プリンター、多機能プリンター、複合機などのＭＦＰ（Ｍｕｌｔｉｆｕｎｃｔｉｏｎ  Ｐｅｒｉｐｈｅｒａｌ）である画像形成装置においては、ネットワーク接続で必要となる有線又は無線の接続情報や、機器名称などの機器情報などを記憶するＮＦＣタグなどの無線タグを搭載する場合がある。
【０００３】
なお、無線タグは画像形成装置によって管理されることにより、無線タグの接続情報や機器情報は画像形成装置によって書き換えられる。特に、画像形成装置側の無線タグに対する更新設定が自動に設定されていると、接続情報の更新に伴い、画像形成装置が無線タグの接続情報を自動更新する。また、携帯端末に搭載されている無線タグリーダーライター機能により、無線タグの接続情報や機器情報を読み込んだり、無線タグにたとえば携帯端末に搭載されている様々なアプリケーションプログラムを起動させるためのユーザー固有情報を書き込んだりすることもできる。
【０００４】
このような無線タグを搭載したものとして、特許文献１では、プリンターに出力先に関する情報などを記憶したＩＣタグを装着し、ＩＣカードリーダーを有した携帯端末によってＩＣタグの出力先に関する情報を読み取り、クライアントＰＣ（Ｐｅｒｓｏｎａｌ  Ｃｏｍｐｕｔｅｒ））に出力先に関する情報や印刷設定などを通知すると、クライアントＰＣがスプールしているジョブ情報を出力先のプリンターに送信することで、印刷処理を行わせる印刷システムを提案している。
【先行技術文献】
【特許文献】
【０００５】
【特許文献１】特開２０１３−１８６８２４号公報
【発明の概要】
【発明が解決しようとする課題】
【０００６】
上述した特許文献１での印刷システムでは、携帯端末によりプリンターに装着されているＩＣタグから読み取った出力先に関する情報や印刷設定などを、ジョブ情報をスプールしているクライアントＰＣに通知することで、プリンターによる印刷処理が実行されることから、プリンターに対する印刷指示が容易となる。
【０００７】
ところで、プリンターに装着されているＩＣタグには、出力先に関する情報である機器情報以外に、ネットワーク接続で必要となる有線又は無線の接続情報なども記憶されることがある。また、プリンターは、ＩＣタグに記憶される機器情報及び接続情報を、変更内容に応じた情報に更新できる。特に、プリンター側のＩＣタグに対する更新設定が自動に設定されていると、プリンターがＩＣタグの接続情報などを自動更新する。また、携帯端末側からもＩＣカードリーダーを利用することで、ＩＣタグに記憶されている機器情報及び接続情報を読み込んだり、ＩＣタグに上述したユーザー固有情報を書き込んだりすることができる。
【０００８】
ところが、携帯端末側からＩＣタグにユーザー固有情報を書き込む場合、プリンター側のＩＣタグに対する更新設定が自動に設定されていると、携帯端末側からＩＣタグに直接ユーザー固有情報を書き込むことができない。この場合、プリンター側の自動更新を一旦停止させてから、携帯端末側からＩＣタグにユーザー固有情報を書き込む手順が必要となり、操作が煩わしいという問題がある。
【０００９】
本発明は、このような状況に鑑みてなされたものであり、上記問題点を解消することができる電子機器及び情報更新プログラムを提供することを目的とする。
【課題を解決するための手段】
【００１０】
本発明の電子機器は、第１の登録情報を記憶する記憶デバイスと、第２の登録情報を記憶する無線タグと、前記第１の登録情報に基づいて前記第２の登録情報の内容を更新するシステム制御部とを備え、前記システム制御部は、外部から前記無線タグへの書き込みがあると、書き込みを許可する情報以外の内容を更新することを特徴とする。
また、前記第１の登録情報は、接続情報を含むデバイス情報と、本体優先か外部優先かを示す優先設定情報とを有し、前記システム制御部は、本体優先を示す前記優先設定情報を含む書き込み情報を読み込み、前記書き込み情報に基づいて前記第１の登録情報の前記デバイス情報を更新するのに合わせ、前記第２の登録情報の前記デバイス情報を更新することを特徴とする。
また、前記システム制御部は、前記第２の登録情報の前記優先設定情報が外部優先の場合、前記第１の登録情報の前記優先設定情報を外部優先に更新することを特徴とする。
また、前記システム制御部は、前記第２の登録情報の前記優先設定情報が記述無しの場合、前記第１の登録情報の前記優先設定情報が本体優先であれば、前記第１の登録情報に基づき前記第２の登録情報の前記書き込みを許可する情報以外の内容を更新することを特徴とする。
また、前記システム制御部は、前記第２の登録情報の前記優先設定情報が記述無しの場合であって前記デバイス情報に前記書き込みを許可する情報がある場合、前記第１の登録情報の前記優先設定情報が本体優先であれば、前記第１の登録情報の前記優先設定情報を外部優先に更新し、前記第２の登録情報の前記書き込みを許可する情報以外の内容を更新することを特徴とする。
本発明の情報更新プログラムは、記憶デバイスに第１の登録情報を記憶させる工程と、無線タグに第２の登録情報を記憶させる工程と、前記第１の登録情報に基づいて前記第２の登録情報の内容を更新する工程と、外部から前記無線タグへの書き込みがあると、書き込みを許可する情報以外の内容を更新する工程とを電子機器を制御するコンピューターに実行させることを特徴とする。
また、前記第１の登録情報は、接続情報を含むデバイス情報と、本体優先か外部優先かを示す優先設定情報とを有し、本体優先を示す前記優先設定情報を含む書き込み情報を読み込み、前記書き込み情報に基づいて前記第１の登録情報の前記デバイス情報を更新するのに合わせ、前記第２の登録情報の前記デバイス情報を更新する工程を有することを特徴とする。
また、前記第２の登録情報の前記優先設定情報が外部優先の場合、前記第１の登録情報の前記優先設定情報を外部優先に更新する工程を有することを特徴とする。
また、前記第２の登録情報の前記優先設定情報が記述無しの場合、前記第１の登録情報の前記優先設定情報が本体優先であれば、前記第１の登録情報に基づき前記第２の登録情報の前記書き込みを許可する情報以外の内容を更新する工程を有することを特徴とする。
また、前記第２の登録情報の前記優先設定情報が記述無しの場合であって前記デバイス情報に前記書き込みを許可する情報がある場合、前記第１の登録情報の前記優先設定情報が本体優先であれば、前記第１の登録情報の前記優先設定情報を外部優先に更新し、前記第２の登録情報の前記書き込みを許可する情報以外の内容を更新する工程を有することを特徴とする。
本発明の電子機器及び情報更新プログラムでは、システム制御部により、記憶デバイスに第１の登録情報を記憶させ、無線タグに第２の登録情報を記憶させるとともに、第１の登録情報に基づいて第２の登録情報の内容を更新し、外部から無線タグへの書き込みがあると、書き込みを許可する情報以外の内容を更新させる。
これにより、無線タグに対する更新設定が自動に設定されていても、その自動更新を一旦停止させることなく、外部から無線タグに書き込みを許可する情報（たとえばユーザー固有情報）を書き込むことができる。
【発明の効果】
【００１１】
本発明の電子機器及び情報更新プログラムによれば、自動更新を一旦停止させることなく、外部から無線タグに書き込みを許可する情報（たとえばユーザー固有情報）を書き込むことができるので、無線タグに対する外部からの書き込みを許可する情報（たとえばユーザー固有情報）の書き込みの操作性を高めることができる。
【図面の簡単な説明】
【００１２】
【図１】本発明の電子機器をＭＦＰに適用した場合の一実施形態を説明するための図である。
【図２】図１のＭＦＰ、ＮＦＣタグ及び携帯端末の構成の一例について説明するための図である。
【図３】図１のＭＦＰによる情報管理について説明するものであって、図３（ａ）はＭＦＰ側が本体優先となっている場合での情報管理の管理表を示し、図３（ｂ）はＭＦＰ側が外部優先となっている場合での情報管理の管理表を示す図である。
【図４】図１のＭＦＰからのＮＦＣタグに対する情報の書き込みを説明するための図である。
【図５】図１の携帯端末からのＮＦＣタグに対する情報の書き込みを説明するための図である。
【図６】図１の携帯端末からの書き込み情報にユーザー固有情報が無く、優先設定情報も無い場合での携帯端末からのＮＦＣタグに対する情報の書き込みを説明するための図である。
【図７】図１の携帯端末からの書き込み情報にユーザー固有情報が有るが、優先設定情報が無い場合での携帯端末からのＮＦＣタグに対する情報の書き込みを説明するための図である。
【発明を実施するための形態】
【００１３】
以下、本発明の電子機器の一実施形態を、図１〜図７を参照しながら説明する。なお、以下の説明において、電子機器の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１４】
まず、図１に示すように、ＭＦＰ１００は、ＮＦＣ（Ｎｅａｒ  Ｆｉｅｌｄ  Ｃｏｍｍｕｎｉｃａｔｉｏｎｓ）タグ２００を有している。なお、図中符号３００は、携帯端末を示している。ここで、ＮＦＣタグ２００は、ＭＦＰ１００に対して有線（Ｉ２Ｃバスなどのシリアルバス）で接続されている。また、ＮＦＣタグ２００は、携帯端末３００に対して無線接続されている。
【００１５】
また、詳細については後述するが、ＮＦＣタグ２００に記憶される情報は、ＭＦＰ１００及び携帯端末３００によって書き換えできる。また、ＮＦＣタグ２００には、携帯端末３００により、たとえば携帯端末３００に搭載されている様々なアプリケーションプログラムを起動させるためのユーザー固有情報を書き込むこともできる。
【００１６】
次に、図２を参照し、ＭＦＰ１００、ＮＦＣタグ２００、携帯端末３００の構成の一例について説明する。まず、ＭＦＰ１００は、プリンター部１０１、Ｉ／Ｆ（インターフェース）１０２、パネル部１０３、ＨＤＤ１０４を制御する制御部１１０を備えている。なお、ＭＦＰ１００は、スキャナー部、ＦＡＸ部などを備えていてもよい。
【００１７】
プリンター部１０１は、制御部１１０から出力される印刷データに基づき、図示しない用紙上に画像を印刷するデバイスである。Ｉ／Ｆ１０２は、ＮＦＣタグ２００との通信を受け持つ。なお、Ｉ／Ｆ１０２は、ＬＡＮ（Ｌｏｃａｌ  Ａｒｅａ  Ｎｅｔｗｏｒｋ）などのネットワークを介し、携帯端末３００との通信を受け持つ。また、Ｉ／Ｆ１０２は、図示しないコンテンツサーバーやウェブサーバーなどとの通信を受け持ってもよい。パネル部１０３は、ＭＦＰ１００の印刷機能、コピー機能、ＦＡＸ機能、ネットワーク経由でのデータ送受信機能や、各種設定のための表示を行うタッチパネルなどのデバイスである。ＨＤＤ１０４は、ＭＦＰ１００の種々の機能を提供するためのアプリケーションプログラムなどを記憶している記憶デバイスである。また、ＨＤＤ１０４は、たとえば図示しないユーザー端末から登録された印刷ジョブを記憶するユーザーボックスを有している。また、ＨＤＤ１０４は、詳細については後述するが、後述の登録情報１２１を登録している。
【００１８】
制御部１１０は、画像形成プログラムや制御プログラムなどを実行してＭＦＰ１００全体の動作を制御するプロセッサーである。制御部１１０は、プリンター制御部１１１、通信制御部１１２、ＲＡＭ１１３、ＲＯＭ１１４、画像処理部１１５、パネル操作制御部１１６、ＨＤＤ制御部１１７、システム制御部１１８を備えている。また、これらは、データバス１１９に接続されている。
【００１９】
プリンター制御部１１１は、プリンター部１０１の印刷動作を制御する。通信制御部１１２は、Ｉ／Ｆ１０２を介し、ＮＦＣタグ２００などとの送受信の制御を行う。ＲＡＭ１１３は、プログラムを実行するためのワークメモリーである。ＲＯＭ１１４には、各部の動作チェックなどを行う制御プログラムが記憶されている。画像処理部１１５は、たとえばＨＤＤ１０４のユーザーボックスに登録された印刷ジョブに対する画像処理（ラスタライズ）を行う。なお、システム制御部１１８は、画像処理部１１５が画像処理した印刷データを、一旦、ＲＡＭ１１３に記憶させる。
【００２０】
パネル操作制御部１１６は、パネル部１０３の表示動作を制御する。また、パネル操作制御部１１６は、パネル部１０３を介し、印刷、コピー、ＦＡＸ、ネットワーク経由でのデータ送受信などの開始の設定などを受け付ける。ＨＤＤ制御部１１７は、ＨＤＤ１０４に対するデータの読み込み及び書き込みなどを制御する。
【００２１】
システム制御部１１８は、各部の連携動作を制御する。また、システム制御部１１８は、詳細については後述するが、たとえば自動更新により、ＨＤＤ１０４に登録されている後述の登録情報１２１とＮＦＣタグ２００に記憶されている登録情報２２１の内容を更新する。また、システム制御部１１８は、ＭＦＰ１００が起動されたときや、たとえば携帯端末３００によってＮＦＣタグ２００への書き込みがあると、ユーザー固有情報などの書き込みを許可する情報以外については、ＨＤＤ１０４に登録されている後述の登録情報１２１の内容に基づき、ＮＦＣタグ２００の登録情報２２１の内容を更新する。
【００２２】
ＮＦＣタグ２００は、Ｉ／Ｆ２０１を制御する制御部２１０を備えている。Ｉ／Ｆ１０２は、ＭＦＰ１００との通信を受け持つ。制御部２１０は、アンテナ部２１１とＩＣチップ２１２とを有している。アンテナ部２１１は、特定の周波数（たとえば１３．５６ＭＨｚ）を利用して携帯端末３００との通信を行う。ＩＣチップ２１２は、後述の登録情報２２１を記憶する不揮発性メモリーを有している。また、ＩＣチップ２１２は、Ｉ／Ｆ２０１又はアンテナ部２１１を介して受け取った情報を不揮発性メモリーに書き込んだり、不揮発性メモリーの情報をＩ／Ｆ２０１又はアンテナ部２１１を介して送信したりする。なお、不揮発性メモリーの情報は、ＮＦＣ規格で定義されたフォーマットで書き込まれる。
【００２３】
携帯端末３００は、アンテナ３０１、パネル部３０２を制御する制御部３１０を備えている。アンテナ３０１は、無線にＮＦＣタグ２００などとの通信を受け持つ。なお、アンテナ３０１は、ネットワークを介し、ＭＦＰ１００や、図示しないコンテンツサーバーやウェブサーバーなどとの通信を受け持つ。パネル部３０２は、携帯端末３００の各種機能の選択、文字入力、情報表示などを行うタッチパネルなどのデバイスである。
【００２４】
制御部３１０は、アプリケーションプログラム及び制御プログラムなどを実行して携帯端末３００全体の動作を制御するプロセッサーである。制御部３１０は、通信制御部３１１、ＲＡＭ３１２、ＲＯＭ３１３、パネル操作制御部３１４、システム制御部３１５を備えている。また、これらは、データバス３１６に接続されている。
【００２５】
通信制御部３１１は、アンテナ３０１を介し、ＮＦＣタグ２００やＭＦＰ１００などの送受信の制御を行う。ＲＡＭ３１２は、プログラムを実行するためのワークメモリーである。ＲＯＭ３１３には、各部の動作チェックなどを行う制御プログラムが記憶されている。パネル操作制御部３１４は、パネル部３０２の表示動作などを制御する。
【００２６】
システム制御部３１５は、各部の連携動作などを制御する。また、システム制御部３１５は、無線タグリーダーライター機能を有し、パネル部３０２を介してＮＦＣタグ２００の情報の読み込みや書き込みの指示があると、通信制御部３１１に対し、アンテナ３０１から電波を送信させる。
【００２７】
次に、図３を参照し、ＭＦＰ１００による情報管理について説明する。なお、図３（ａ）はＭＦＰ１００側が本体優先となっている場合での情報の管理表を示し、図３（ｂ）はＭＦＰ１００側が外部優先となっている場合での情報の管理表を示している。ここで、本体優先とは、ＭＦＰ１００側が優先的にＮＦＣタグ２００の情報を更新できることを示している。また、外部優先とは、たとえば携帯端末３００側が一時的にＮＦＣタグ２００の情報を更新できることを示している。
【００２８】
また、ＭＦＰ１００は、起動時にＮＦＣタグ２００の後述の登録情報２２１、２２２又２２３を読み込み、優先設定情報を確認する。また、ＭＦＰ１００は、起動時にＨＤＤ１０４に登録されている後述の登録情報１２１又は１２２を読み込み、優先設定情報を確認する。そして、ＭＦＰ１００は、管理表４００の内容に従って、ＮＦＣタグ２００の情報を管理する。なお、以下では、説明の都合上、ＭＦＰ１００は、起動時にＮＦＣタグ２００の後述の登録情報２２１と、ＨＤＤ１０４に登録されている後述の登録情報１２１とを読み出すものとする。
【００２９】
まず、図３（ａ）に示す管理表４００には、（ア）で示すＮＦＣタグ２００の登録情報２２１と、（イ）で示すＭＦＰ１００側の登録情報１２１と、（ウ）で示すＮＦＣタグ２００に対する情報管理とが示されている。また、（ア）で示すＮＦＣタグ２００の登録情報２２１には、優先設定情報とデバイス情報とが含まれている。優先設定情報は、本体優先、外部優先、記述無しのいずれかを示す。デバイス情報は、マシン名称、有線接続情報、無線接続情報、及びユーザー固有情報の少なくとも１つを含む。
【００３０】
ここで、（１）の縦の列で示すように、ＮＦＣタグ２００の登録情報２２１の優先設定情報が本体優先で、デバイス情報にユーザー固有情報がある場合、ＭＦＰ１００は登録情報１２１の優先設定情報を本体優先のままとする。ＭＦＰ１００は、更に、携帯端末３００によりＮＦＣタグ２００のデバイス情報が更新されたら、ＮＦＣタグ２００のデバイス情報を更新する。つまり、携帯端末３００により更新されたＮＦＣタグ２００のデバイス情報が、ＨＤＤ１０４に登録されているデバイス情報で更新される。結果として、携帯端末３００による更新前にＮＦＣタグ２００に書き込まれていたデバイス情報は、維持されることになる。また、（２）の縦の列で示すように、ＮＦＣタグ２００の登録情報２２１の優先設定情報が本体優先で、デバイス情報にユーザー固有情報がない場合、ＭＦＰ１００は登録情報１２１の優先設定情報を本体優先のままとする。ＭＦＰ１００は、更に、携帯端末３００によりＮＦＣタグ２００のデバイス情報が更新されたら、ＮＦＣタグ２００のデバイス情報を更新する。つまり、携帯端末３００により更新されたＮＦＣタグ２００のデバイス情報が、ＨＤＤ１０４に登録されているデバイス情報で更新される。結果として、携帯端末３００による更新前にＮＦＣタグ２００に書き込まれていたデバイス情報は、維持されることになる。
【００３１】
また、（３）の縦の列で示すように、ＮＦＣタグ２００の登録情報２２１の優先設定情報が外部優先で、デバイス情報にユーザー固有情報がある場合、ＭＦＰ１００は登録情報１２１の優先設定情報を外部優先に変更する。ＭＦＰ１００は、携帯端末３００によりＮＦＣタグ２００のデバイス情報が更新されても、ＮＦＣタグ２００のデバイス情報を更新しない。結果として、携帯端末３００による更新前にＮＦＣタグ２００に書き込まれていたデバイス情報は、携帯端末３００により書き込まれたデバイス情報に置き換わることになる。また、（４）の縦の列で示すように、ＮＦＣタグ２００の登録情報２２１の優先設定情報が外部優先で、デバイス情報にユーザー固有情報がない場合、ＭＦＰ１００は登録情報１２１の優先設定情報を外部優先に変更する。ＭＦＰ１００は、携帯端末３００によりＮＦＣタグ２００のデバイス情報が更新されても、ＮＦＣタグ２００のデバイス情報を更新しない。結果として、携帯端末３００による更新前にＮＦＣタグ２００に書き込まれていたデバイス情報は、携帯端末３００により書き込まれたデバイス情報に置き換わることになる。
【００３２】
また、（５）の縦の列で示すように、ＮＦＣタグ２００の登録情報２２１の優先設定情報が記述無しで、デバイス情報にユーザー固有情報がある場合、ＭＦＰ１００は登録情報１２１の優先設定情報を外部優先に変更する。ＭＦＰ１００は、携帯端末３００によりＮＦＣタグ２００のデバイス情報が更新されてもＮＦＣタグ２００のデバイス情報を更新しない。結果として、携帯端末３００による更新前にＮＦＣタグ２００に書き込まれていたデバイス情報は、携帯端末３００により書き込まれたデバイス情報に置き換わることになる。また、（６）の縦の列で示すように、ＮＦＣタグ２００の登録情報２２１の優先設定情報が記述無しで、デバイス情報にユーザー固有情報がない場合、ＭＦＰ１００は登録情報１２１の優先設定情報を本体優先のままとする。ＭＦＰ１００は、更に、携帯端末３００によりＮＦＣタグ２００のデバイス情報が更新されたら、ＮＦＣタグ２００のデバイス情報を更新する。つまり、携帯端末３００により更新されたＮＦＣタグ２００のデバイス情報が、ＨＤＤ１０４に登録されているデバイス情報で更新される。結果として、携帯端末３００による更新前にＮＦＣタグ２００に書き込まれていたデバイス情報は、維持されることになる。
以上のように、図３（ａ）に示す（１）、（２）、及び（６）において、ＮＦＣタグ２００のデバイス情報の更新は、一時的にデバイス情報を更新した後、元のデバイス情報に戻すことを示す。
【００３３】
次に、図３（ｂ）に示す管理表４００について説明する。まず、（１）の縦の列で示すように、ＮＦＣタグ２００の登録情報２２１の優先設定情報が本体優先で、デバイス情報にユーザー固有情報がある場合、ＭＦＰ１００は登録情報１２１の優先設定情報を本体優先に変更する。ＭＦＰ１００は、更に、携帯端末３００によりＮＦＣタグ２００のデバイス情報が更新されたら、ＮＦＣタグ２００のデバイス情報を更新する。つまり、携帯端末３００により更新されたＮＦＣタグ２００のデバイス情報が、ＨＤＤ１０４に登録されているデバイス情報で更新される。結果として、携帯端末３００による更新前にＮＦＣタグ２００に書き込まれていたデバイス情報は、維持されることになる。また、（２）の縦の列で示すように、ＮＦＣタグ２００の登録情報２２１の優先設定情報が本体優先で、デバイス情報にユーザー固有情報がない場合、ＭＦＰ１００は登録情報１２１の優先設定情報を本体優先に変更する。ＭＦＰ１００は、更に、携帯端末３００によりＮＦＣタグ２００のデバイス情報が更新されたら、ＮＦＣタグ２００のデバイス情報を更新する。つまり、携帯端末３００により更新されたＮＦＣタグ２００のデバイス情報が、ＨＤＤ１０４に登録されているデバイス情報で更新される。結果として、携帯端末３００による更新前にＮＦＣタグ２００に書き込まれていたデバイス情報は、維持されることになる。
【００３４】
また、（３）の縦の列で示すように、ＮＦＣタグ２００の登録情報２２１の優先設定情報が外部優先で、デバイス情報にユーザー固有情報がある場合、ＭＦＰ１００は登録情報１２１の優先設定情報を外部優先のままとする。ＭＦＰ１００は、携帯端末３００によりＮＦＣタグ２００のデバイス情報が更新されても、ＮＦＣタグ２００のデバイス情報を更新しない。結果として、携帯端末３００による更新前にＮＦＣタグ２００に書き込まれていたデバイス情報は、携帯端末３００により書き込まれたデバイス情報に置き換わることになる。また、（４）の縦の列で示すように、ＮＦＣタグ２００の登録情報２２１の優先設定情報が外部優先で、デバイス情報にユーザー固有情報がない場合、ＭＦＰ１００は登録情報１２１の優先設定情報を外部優先のままとする。ＭＦＰ１００は、携帯端末３００によりＮＦＣタグ２００のデバイス情報が更新されても、ＮＦＣタグ２００のデバイス情報を更新しない。結果として、携帯端末３００による更新前にＮＦＣタグ２００に書き込まれていたデバイス情報は、携帯端末３００により書き込まれたデバイス情報に置き換わることになる。
【００３５】
また、（５）の縦の列で示すように、ＮＦＣタグ２００の登録情報２２１の優先設定情報が記述無しで、デバイス情報にユーザー固有情報がある場合、ＭＦＰ１００は登録情報１２１の優先設定情報を外部優先のままとする。ＭＦＰ１００は、携帯端末３００によりＮＦＣタグ２００のデバイス情報が更新されてもＮＦＣタグ２００のデバイス情報を更新しない。結果として、携帯端末３００による更新前にＮＦＣタグ２００に書き込まれていたデバイス情報は、携帯端末３００により書き込まれたデバイス情報に置き換わることになる。また、（６）の縦の列で示すように、ＮＦＣタグ２００の登録情報２２１の優先設定情報が記述無しで、デバイス情報にユーザー固有情報がない場合、ＭＦＰ１００は登録情報１２１の優先設定情報を本体優先に変更する。ＭＦＰ１００は、更に、携帯端末３００によりＮＦＣタグ２００のデバイス情報が更新されたらＮＦＣタグ２００のデバイス情報を更新する。つまり、携帯端末３００により更新されたＮＦＣタグ２００のデバイス情報が、ＨＤＤ１０４に登録されているデバイス情報で更新される。結果として、携帯端末３００による更新前にＮＦＣタグ２００に書き込まれていたデバイス情報は、維持されることになる。
以上のように、図３（ｂ）に示す（１）、（２）、及び（６）においてＮＦＣタグ２００のデバイス情報の更新は、一時的にデバイス情報を更新した後、元のデバイス情報に戻すことを示す。
【００３６】
次に、図４〜図７を参照し、ＮＦＣタグ２００の情報更新の方法について説明する。なお、図４は、ＭＦＰ１００からＮＦＣタグ２００に対して情報を書き込む場合を示している。また、図５〜図７は、図４に沿ってＭＦＰ１００からＮＦＣタグ２００に対して情報が書き込まれた後、携帯端末３００からのＮＦＣタグ２００に対して情報を書き込む場合を示している。
【００３７】
まず、図４を参照し、ＭＦＰ１００からのＮＦＣタグ２００に対する情報の書き込みについて説明する。
【００３８】
（ステップＳ１０１）
書き込み情報５００を読み込む。すなわち、ＭＦＰ１００のシステム制御部１１８は、たとえば通信制御部１１２を介し、ネットワーク経由で取得した書き込み情報５００を読み込む。
ここで、書き込み情報５００は、マシン名称、有線接続情報、無線接続情報を示すデバイス情報と、本体優先を示す優先設定情報とを含んでいる。そして、ＭＦＰ１００のシステム制御部１１８は、読み込んだ書き込み情報５００と同じ内容を登録情報１２１としてＨＤＤ１０４に登録する。
【００３９】
（ステップＳ１０２）
登録情報１２１を書き込む。すなわち、ＭＦＰ１００のシステム制御部１１８は、通信制御部１１２を介し、ＮＦＣタグ２００に登録情報１２１を送信する。そして、ＮＦＣタグ２００のＩＣチップ２１２は、登録情報１２１と同じ内容の登録情報２２１を不揮発性メモリーに書き込む。
つまり、このケースでは、ＮＦＣタグ２００が情報を記憶していない初期状態である場合を想定している。
ＮＦＣタグ２００が情報を記憶している場合、システム制御部１１８は、ＮＦＣタグ１０４の登録情報を登録情報１２１で更新する。
【００４０】
次に、図５を参照し、携帯端末３００により、ＮＦＣタグ２００に書き込み情報３２１を書き込む場合について説明する。
【００４１】
（ステップＳ２０１）
携帯端末３００からＮＦＣタグ２００に書き込み情報３２１を送信する。すなわち、書き込み情報３２１は、マシン名称、有線接続情報（新）、無線接続情報（新）、ユーザー固有情報を示すデバイス情報と、外部優先を示す優先設定情報とを含んでいる。なお、有線接続情報（新）及び無線接続情報（新）は、携帯端末３００側で設定した接続情報である。
【００４２】
（ステップＳ２０２）
ＮＦＣタグ２００が登録情報２２１を更新する。すなわち、ＮＦＣタグ２００のＩＣチップ２１２は、アンテナ部２１１を介して書き込み情報３２１を受け取ると、現在の登録情報２２１の内容を、書き込み情報３２１の内容に基づいて更新する。
この場合、ＩＣチップ２１２は、登録情報２２２に示すように、デバイス情報をマシン名称、有線接続情報（新）、無線接続情報（新）、ユーザー固有情報とし、優先設定情報を本体優先から外部優先に変更する。
【００４３】
（ステップＳ２０３）
ＭＦＰ１００は、ＮＦＣタグ２００の登録情報２２２を読み込む。すなわち、ＭＦＰ１００のシステム制御部１１８は、通信制御部１１２を介してＮＦＣタグ２００の登録情報２２２を読み込む。
【００４４】
（ステップＳ２０４）
ＭＦＰ１００は、登録情報１２１を更新する。すなわち、ＭＦＰ１００のシステム制御部１１８は、ＨＤＤ１０４に登録されている現在の登録情報１２１の内容を、登録情報２２２の内容に基づいて更新し、登録情報１２２とする。この場合、システム制御部１１８は、登録情報１２２に示すように、デバイス情報については更新せず、優先設定情報のみを本体優先から外部優先に変更する。
【００４５】
（ステップＳ２０５）
ＭＦＰ１００は、ＮＦＣタグ２００の登録情報２２２を更新する。この場合、ＭＦＰ１００のシステム制御部１１８は、通信制御部１１２を介し、ＮＦＣタグ２００に登録情報１２２を送信する。そして、ＮＦＣタグ２００のＩＣチップ２１２は、登録情報１２２と同じ内容の登録情報２２３を不揮発性メモリーに書き込む。
これにより、ＮＦＣタグ２００の登録情報２２３は、デバイス情報のユーザー固有情報と、優先設定情報の外部優先とが変更されないが、有線接続情報（新）及び無線接続情報（新）についてはＭＦＰ１００側の有線接続情報及び無線接続情報に更新される。
このケースでは、携帯端末３００により、ＮＦＣタグ２００に対してユーザー固有情報の書き込みが可能であるが、有線接続情報及び無線接続情報についての変更ができない場合を想定している。
【００４６】
次に、図６を参照し、携帯端末３００からの書き込み情報３２１のデバイス情報にユーザー固有情報が無く、優先設定情報も無いときでの携帯端末３００からのＮＦＣタグ２００に対して情報を書き込む場合について説明する。
【００４７】
（ステップＳ３０１）
携帯端末３００からＮＦＣタグ２００に書き込み情報３２１を送信する。すなわち、書き込み情報３２１は、マシン名称、有線接続情報（新）、無線接続情報（新）を示すデバイス情報のみを有しているが、ユーザー固有情報と優先設定情報とを有していない。また、書き込み情報３２１のデバイス情報においては、有線接続情報及び無線接続情報が共に新しい内容である有線接続情報（新）及び無線接続情報（新）となっている。つまり、このケースでは、携帯端末３００からＮＦＣタグ２００の有線接続情報及び無線接続情報が書き換えられる場合を想定している。
【００４８】
（ステップＳ３０２）
ＮＦＣタグ２００が登録情報２２１を更新する。すなわち、ＮＦＣタグ２００のＩＣチップ２１２は、アンテナ部２１１を介して書き込み情報３２１を受け取ると、現在の登録情報２２１の内容を、書き込み情報３２１の内容に基づいて更新する。この場合、ＩＣチップ２１２は、登録情報２２２に示すように、デバイス情報の有線接続情報及び無線接続情報を有線接続情報（新）及び無線接続情報（新）に変更し、優先設定情報を削除する。
【００４９】
（ステップＳ３０３）
ＭＦＰ１００は、ＮＦＣタグ２００の登録情報２２２を読み込む。すなわち、ＭＦＰ１００のシステム制御部１１８は、通信制御部１１２を介してＮＦＣタグ２００の登録情報２２２を読み込む。
【００５０】
（ステップＳ３０４）
ＭＦＰ１００は、ＮＦＣタグ２００の登録情報２２２を更新する。この場合、ＭＦＰ１００のシステム制御部１１８は、ＨＤＤ１０４に登録されている現在の登録情報１２１の内容を更新せず、現在の登録情報１２１の内容をＮＦＣタグ２００に書き込む。すなわち、ＭＦＰ１００のシステム制御部１１８は、ＮＦＣタグ２００の登録情報２２２のデバイス情報にユーザー固有情報が無いため、現在の登録情報１２１を更新しない。また、ＭＦＰ１００のシステム制御部１１８は、通信制御部１１２を介してＮＦＣタグ２００の登録情報２２２を登録情報２２３に示すように、現在の登録情報１２１の内容に書き換える。
このケースでは、ＮＦＣタグ２００の登録情報２２２のデバイス情報が一時的に書き換えられるが、ＭＦＰ１００のシステム制御部１１８により、直ちに現在の登録情報１２１の内容に書き換えられる。これにより、携帯端末３００によってＮＦＣタグ２００の登録情報２２１のデバイス情報の有線接続情報及び無線接続情報が書き換えられることを防止できる。
【００５１】
次に、図７を参照し、携帯端末３００からの書き込み情報３２１のデバイス情報にユーザー固有情報が無く、優先設定情報も無い場合での携帯端末３００からのＮＦＣタグ２００に対する情報の書き込みについて説明する。
【００５２】
（ステップＳ４０１）
携帯端末３００からＮＦＣタグ２００に書き込み情報３２１を送信する。すなわち、書き込み情報３２１は、マシン名称、有線接続情報（新）、無線接続情報（新）、ユーザー固有情報を示すデバイス情報のみを有し、優先設定情報を有していない。
【００５３】
（ステップＳ４０２）
ＮＦＣタグ２００が登録情報２２１を更新する。すなわち、ＮＦＣタグ２００のＩＣチップ２１２は、アンテナ部２１１を介して書き込み情報３２１を受け取ると、現在の登録情報２２１の内容を、書き込み情報３２１の内容に基づいて更新する。この場合、ＩＣチップ２１２は、登録情報２２２に示すように、デバイス情報の有線接続情報及び無線接続情報を有線接続情報（新）及び無線接続情報（新）に変更し、さらにユーザー固有情報を追加する。
【００５４】
（ステップＳ４０３）
ＭＦＰ１００は、ＮＦＣタグ２００の登録情報２２２を読み込む。すなわち、ＭＦＰ１００のシステム制御部１１８は、通信制御部１１２を介してＮＦＣタグ２００の登録情報２２２を読み込む。
【００５５】
（ステップＳ４０４）
ＭＦＰ１００は、登録情報１２１を更新する。すなわち、ＭＦＰ１００のシステム制御部１１８は、読み込んだＮＦＣタグ２００の登録情報２２２のデバイス情報にユーザー固有情報が有るため、現在の登録情報１２１の内容を登録情報２２２の内容に基づいて更新する。この場合、システム制御部１１８は、登録情報１２２に示すように、優先設定情報の本体優先を外部優先に変更する。
【００５６】
（ステップＳ４０５）
ＭＦＰ１００は、ＮＦＣタグ２００の登録情報２２２を更新する。この場合、ＭＦＰ１００のシステム制御部１１８は、現在の登録情報１２２の内容をＮＦＣタグ２００に書き込む。すなわち、ＭＦＰ１００のシステム制御部１１８は、通信制御部１１２を介してＮＦＣタグ２００の登録情報２２２を登録情報２２３に示すように、現在の登録情報１２２の内容に書き換える。
このケースでは、ＮＦＣタグ２００の登録情報２２２のデバイス情報が一時的に書き換えられるが、ＭＦＰ１００のシステム制御部１１８により、直ちに現在の登録情報１２２の内容に書き換えられる。これにより、携帯端末３００によってＮＦＣタグ２００の登録情報２２１のデバイス情報の有線接続情報及び無線接続情報が書き換えられることを防止できる。
【００５７】
このように、本実施形態では、システム制御部１１８により、ＨＤＤ１０４（記憶デバイス）に登録情報１２１又は１２２（第１の登録情報）を記憶させ、ＮＦＣタグ２００（無線タグ）に登録情報２２１、２２２又は２２３（第２の登録情報）を記憶させるとともに、登録情報１２１又は１２２（第１の登録情報）に基づいて登録情報２２１又は２２２（第２の登録情報）の内容を更新し、携帯端末３００からＮＦＣタグ２００（無線タグ）への書き込みがあると、書き込みを許可する情報（たとえばユーザー固有情報）以外の内容を更新させる。
【００５８】
これにより、ＮＦＣタグ２００（無線タグ）に対する更新設定が自動に設定されていても、その自動更新を一旦停止させることなく、携帯端末３００からＮＦＣタグ２００（無線タグ）に書き込みを許可する情報（たとえばユーザー固有情報）を書き込むことができるので、ＮＦＣタグ２００（無線タグ）に対する外部からの書き込みを許可する情報（たとえばユーザー固有情報）の書き込みの操作性を高めることができる。
【００５９】
なお、本実施形態では、本発明の電子機器をＭＦＰ１００に適用した場合として説明したが、ＭＦＰ１００に限らず、ＰＣ（ｐｅｒｓｏｎａｌ  ｃｏｍｐｕｔｅｒ）などの情報機器や、家電などにも適用可能である。
【符号の説明】
【００６０】
１００  ＭＦＰ
１０１  プリンター部
１０２、２０１  Ｉ／Ｆ
１０３、３０２  パネル部
１０４  ＨＤＤ
１１０、２１０、３１０  制御部
１１１  プリンター制御部
１１２、３１１  通信制御部
１１３、３１２  ＲＡＭ
１１４、３１３  ＲＯＭ
１１５  画像処理部
１１６  パネル操作制御部
１１７  ＨＤＤ制御部
１１８、３１５  システム制御部
１１９、３１６  データバス
１２１、１２２、２２１〜２２３  登録情報
２００  ＮＦＣタグ
２１１  アンテナ部
２１２  ＩＣチップ
３００  携帯端末
３０１  アンテナ
３１４  パネル操作制御部
３２１、５００  書き込み情報
４００  管理表
【図１】
0006508124.tif 000002
【図２】
0006508124.tif 000003
【図３】
0006508124.tif 000004
【図４】
0006508124.tif 000005
【図５】
0006508124.tif 000006
【図６】
0006508124.tif 000007
【図７】
0006508124.tif 000008